(57)【要約】      （修正有）【課題】構造が簡単でワンタッチで高さを変更することができ、面倒な操作をする必要をなくすることができるドリッパ用スタンドを提供する。【解決手段】所望の位置に複数の孔を設けた支持基板と、ドリッパをはめ込むリング状のホルダ２２と、当該リング状のホルダ２２から延長され、適宜位置に首振り可能な連結部２４を設けた支柱部２３とを備えたドリッパ保持部２１とを有し、支持基板の適宜の孔にドリッパ保持部２１の支柱部２３の先端をはめ込むとともに、ドリッパ保持部２１の連結部２４を首振りさせてリング状のホルダ２２を水平に保持させるようにしたことを特徴とする。【選択図】図５
0003212464.tif 000002
【実用新案登録請求の範囲】
【請求項１】
所望の位置に複数の孔を設けた支持基板と、
ドリッパをはめ込むリング状のホルダと、当該リング状のホルダから延長され、適宜位置に首振り可能な連結部を設けた支柱部とを備えたドリッパ保持部とを有し、
前記支持基板の適宜の孔に前記ドリッパ保持部の支柱部の先端をはめ込むとともに、前記ドリッパ保持部の連結部を首振りさせて前記リング状のホルダを水平に保持させるようにしたことを特徴とするドリッパ用スタンド。
【請求項２】
前記支柱部に首振り可能に設けたドリッパ保持部の連結部が、一方の方向に首振りさせた場合の逆Ｌ字状の角度と、反対方向に首振りさせた場合の逆Ｌ字状の角度とが異なるようにして、前記ドリッパ保持部のリング状のホルダの支持基板からの高さを調節することができるようにしたことを特徴とする請求項１に記載のドリッパ用スタンド。
【請求項３】
前記支柱部に首振り可能に設けたドリッパ保持部の連結部が、前記逆Ｌ字状の角度が直角に近い場合は、前記ドリッパ保持部の支柱部の先端を支持基板の中心側の孔へ挿し込み、前記逆Ｌ字状の角度が直角から遠い場合は、前記ドリッパ保持部の支柱部の先端を支持基板の周辺側の孔へ挿し込むことにより、前記ドリッパ保持部の支持基板上での安定を図るようにしたことを特徴とする請求項１または２に記載のドリッパ用スタンド。
【考案の詳細な説明】
【技術分野】
【０００１】
本考案は、コーヒー抽出器や茶の抽出器に適用されるドリッパ用スタンドに関し、少なくとも２段階に高さを変えることができるドリッパ用スタンドの提供を目的とするものである。
【背景技術】
【０００２】
従来のドリッパ用スタンドにおいて、リング状のホルダの高さを変えられるようにしたものとしては以下のような例が挙げられる。
１）実用新案登録第３０８２４５９号公報（特許文献１参照）
：支柱に複数の高さの環状溝を形成したもの。
２）実開昭６１−８６１２７号公報（特許文献２参照）
：支持杆に多数の係止用凹部を刻設したもの。
３）実開平１−１６０９３０号公報（特許文献３参照）、実開平１−１５７６２４号公報（特許文献４参照）
：支柱に複数の穴をあけたもの。
４）実開昭５２−１２６０８２号公報（特許文献５参照）
：角柱に昇降枠を設け、ネジで所定位置に固定するようにしたもの。
【先行技術文献】
【特許文献】
【０００３】
【特許文献１】実用新案登録第３０８２４５９号公報
【特許文献２】実開昭６１−８６１２７号公報
【特許文献３】実開平１−１６０９３０号公報
【特許文献４】実開平１−１５７６２４号公報
【特許文献５】実開昭５２−１２６０８２号公報
【考案の概要】
【考案が解決しようとする課題】
【０００４】
しかしながら、前記いずれの先行技術においても、環状溝や係止用凹部、また複数の穴のいずれかにネジをはめ込んだり、クリップを開閉して所定高さに保持するという必要があって、高さを位置決めするための操作が面倒であるという問題があった。
【０００５】
本考案は、上述した問題に対処して考案したものであって、その目的とするところは、構造が簡単でワンタッチで高さを変更することができ、面倒な操作をする必要をなくすことができるドリッパ用スタンドを提供することにある。
【課題を解決するための手段】
【０００６】
すなわち、上記目的を達成するため本考案のドリッパ用スタンドは、
所定の位置に複数の孔を設けた支持基板と、
ドリッパをはめ込むリング状のホルダと、当該リング状のホルダから延長され、適宜位置に首振り可能な連結部を設けた支柱部とを備えたドリッパ保持部とを有し、
前記支持基板の適宜の孔に前記ドリッパ保持部の支柱部の先端をはめ込むとともに、前記ドリッパ保持部の連結部を首振りさせて前記リング状のホルダを水平に保持させるようにしたことを特徴とするものである。
【０００７】
本考案のドリッパ用スタンドにおいて、前記支柱部に首振り可能に設けたドリッパ保持部の連結部が、一方の方向に首振りさせた場合の逆Ｌ字状の角度と、反対方向に首振りさせた場合の逆Ｌ字状の角度とが異なるようにして、前記ドリッパ保持部のリング状のホルダの支持基板からの高さを調節することができるようにしたことをも特徴とするものである。
【０００８】
本考案のドリッパ用スタンドにおいて、前記支柱部に首振り可能に設けたドリッパ保持部の連結部が、前記逆Ｌ字状の角度が直角に近い場合は、前記ドリッパ保持部の支柱部の先端を支持基板の中心側の孔へ挿し込み、前記逆Ｌ字状の角度が直角から遠い場合は、前記ドリッパ保持部の支柱部の先端を支持基板の周辺側の孔へ挿し込むことにより、前記ドリッパ保持部の支持基板上での安定を図るようにしたことをも特徴とするものである。
【考案の効果】
【０００９】
請求項１のドリッパ用スタンドは、前記支柱部に首振り可能に設けたドリッパ保持部の連結部が、一方の方向に首振りさせた場合の逆Ｌ字状の角度と、反対方向に首振りさせた場合の逆Ｌ字状の角度とが異なるようにして、前記ドリッパ保持部のリング状のホルダの支持基板からの高さを調節するため、高さ調節の作業がワンタッチで簡単に行えるようになり、高さ調節の際に面倒な作業を行う必要をなくすことができる。
【００１０】
また、請求項２の考案によれば、前記支柱部に首振り可能に設けたドリッパ保持部の連結部が、一方の方向に首振りさせた場合の逆Ｌ字状の角度と、反対方向に首振りさせた場合の逆Ｌ字状の角度とが異なるようにしてあり、前記ドリッパ保持部のリング状のホルダの支持基板からの高さを極めて簡単に調節することができる。
【００１１】
請求項３の考案によれば、前記支柱部に首振り可能に設けたドリッパ保持部の連結部が、前記逆Ｌ字状の角度が直角に近い場合は、前記ドリッパ保持部の支柱部の先端を支持基板の中心側の孔へ挿し込み、前記逆Ｌ字状の角度が直角から遠い場合は、前記ドリッパ保持部の支柱部の先端を支持基板の周辺側の孔へ挿し込むだけで、前記ドリッパ保持部の支持基板上での安定を図ることができる。
【図面の簡単な説明】
【００１２】
【図１】本考案のドリッパ用スタンドの実施の形態を説明するためのものであり、（ａ）は支持基板の概略平面図、（ｂ）はその概略側面図、（ｃ）は（ａ）におけるＡ−Ａ概略断面図、（ｄ）は（ａ）におけるＢ−Ｂ概略断面図である。
【図２】支持基板の概略斜視図である。
【図３】リング状のホルダおよび支柱部を備えたドリッパ保持部の概略平面図である。
【図４】その概略側面図である。
【図５】リング状のホルダを支柱部に対して直角に折り曲げた状態を示す概略側面図である。
【図６】リング状のホルダを支柱部から約１０５°に折り曲げた状態を示す概略側面図である。
【図７】リング状のホルダを直角に折り曲げた第１の折り曲げ状態を説明するための概略斜視図である。
【図８】リング状のホルダを支柱部から約１０５°に折り曲げた第２の折り曲げ状態を説明するための概略斜視図である。
【図９】リング状のホルダを直角に折り曲げた第１の使用状態を説明するための概略斜視図である。
【図１０】リング状のホルダを支柱部から約１０５°に折り曲げた第２の使用状態を説明するための概略斜視図である。
【考案を実施するための形態】
【００１３】
以下、図面を参照しながら、本考案を具体化した実施形態について説明する。本実施形態のドリッパ用スタンド１１において、テーブル上等にセットされる支持基板１２は、図１および図２に示すように、ほぼ矩形の一方の端部に、所定の長さの細片部１３が形成されている。そして、前記支持基板１２の所定の位置、例えば前記細片部１３の適所と、支持基板１２の細片部１３近傍の片側部分に複数の孔１４，１５が設けられている。
【００１４】
図３ないし図６は、後述のドリッパをはめ込むドリッパ保持部２１を示すものである。
すなわち図３および図４において、前記ドリッパ保持部２１は、一端にリング状のホルダ２２を備えるとともに、当該リング状のホルダ２２から延長された延長部２２ａと、適宜位置に首振り可能な連結部２４を設けた支柱部２３とを備えている。２３ａは前記支柱部２３の末端に形成した細径部であり、支柱部２３を前記孔１４，１５に挿通しやすくするためのものである。
そして、前記連結部２４は一方の端部に設けたコ字状の挟着部２５と、該挟着部２５にはめ込まれる板状部２６とを備え、その両者を支軸２７で回動可能に軸着したものである。
また、前記コ字状の挟着部２５に対向して前記板状部２６の基端に形成された傾斜面２６ａは、一方の端部が他方の端部よりも挟着部２５からの間隔が広く形成されている。
したがって、図５のように前記連結部２４を一方の側に首振りさせると前記支柱部２３に対するリング状のホルダ２２の角度はほぼ直角になり、図６のように前記連結部２４を他方の側に首振りさせると前記支柱部２３に対するリング状のホルダ２２の角度は約１０５°になる。もちろんいずれの角度も適宜決定することができる。
【００１５】
以上のように、前記支柱部２３に首振り可能に設けたドリッパ保持部２１の連結部２４が、一方の方向に首振りさせた場合に逆Ｌ字状の角度を例えば１０５°とすると、前記リング状のホルダ２２は水平に保持する必要があるため、逆Ｌ字状の角度が１０５°の場合においては前記支柱部２３は支持基板１２に対して７５°の角度となる。もちろんそれに伴って前記リング状のホルダ２２は、前記支持基板１２に対する高さが他方の側に首振りさせて直角とした場合に比べて低くなるのである。
したがって、リング状のホルダ２２の支持基板１２からの高さを、連結部２４をいずれかに首振りさせることによって調節することができるのである。
【００１６】
本考案のドリッパ用スタンドにおいて、前記ドリッパ保持部２１の連結部２４が、前記逆Ｌ字状の角度がほぼ直角の場合は、前記ドリッパ保持部２１の支柱部２３の先端を支持基板１２の中心側の孔１４へ挿し込み、前記逆Ｌ字状の角度が約１０５°の場合は、前記ドリッパ保持部２１の支柱部２３の先端を支持基板１２の細片部１３の孔１５へ挿し込む。
したがって、リング状のホルダ２２の支持基板１２からの高さを、連結部２４をいずれかに首振りさせることによって調節することができるのである。
【００１７】
図７は前記ドリッパ保持部２１の連結部２４が、前記逆Ｌ字状の角度が直角の場合を示すものであり、前記ドリッパ保持部２１の支柱部２３の先端を支持基板１２の中心側の孔１４へ挿し込む。こうすると支柱部２３は支持基板１２に対して直角となり、リング状のホルダ２２は支持基板１２に対してその距離がやや遠い状態で保持される。
【００１８】
図８は前記ドリッパ保持部２１の連結部２４が、前記逆Ｌ字状の角度が約１０５°場合は、前記ドリッパ保持部２１の支柱部２３の先端を支持基板１２の細片部１３の孔１５へ挿し込む。こうすると支柱部２３は支持基板１２に対して約７５°の角度となり、リング状のホルダ２２は支持基板１２に対してその距離がやや近い状態で保持される。
このような高さは、ドリッパのサイズやコーヒーカップのサイズに応じて適宜選択することができる。
【００１９】
図９はリング状のホルダ２２を支柱部２３に対して直角に折り曲げた第１の使用状態を説明するための概略斜視図であり、図１０はリング状のホルダ２２を支柱部２３に対して約１０５°に折り曲げた第２の使用状態を説明するための概略斜視図である。
図９および図１０において、３１はフィルタ等を備えたドリッパ、３２はコーヒーカップである。
【産業上の利用可能性】
【００２０】
なお本考案は、上述した実施形態に限定されるものでなく、本考案の要旨を変更しない範囲内で変形実施できるものを含む。因みに、上述した実施形態では、支柱部２３の支持基板１２に対する角度を７５°と９０°で説明したが、そのような角度に限定されるものではない。
もちろん、コーヒーのドリッパに対してだけでなく、緑茶や紅茶、あるいはその他の飲み物のろ過等に使用することができる。
【符号の説明】
【００２１】
１１  ドリッパ用スタンド
１２  支持基板
１３  細片部
１４，１５  孔
２１  ドリッパ保持部
２２  リング状のホルダ
２２ａ  延長部
２３  支柱部
２３ａ  細径部
２４  連結部
２５  挟着部
２６  板状部
２６ａ  傾斜面
２７  支軸
３１  ドリッパ
３２  コーヒーカップ
【図１】
0003212464.tif 000003
【図２】
0003212464.tif 000004
【図３】
0003212464.tif 000005
【図４】
0003212464.tif 000006
【図５】
0003212464.tif 000007
【図６】
0003212464.tif 000008
【図７】
0003212464.tif 000009
【図８】
0003212464.tif 000010
【図９】
0003212464.tif 000011
【図１０】
0003212464.tif 000012
【手続補正書】
【提出日】平成29年7月10日(2017.7.10)
【手続補正１】
【補正対象書類名】実用新案登録請求の範囲
【補正対象項目名】全文
【補正方法】変更
【補正の内容】
【実用新案登録請求の範囲】
【請求項１】
所望の位置に複数の孔を設けた支持基板と、
ドリッパをはめ込むリング状のホルダと、当該リング状のホルダから延長され、適宜位置に首振り可能な連結部を設けた支柱部とを備えたドリッパ保持部とを有し、
前記支持基板の適宜の孔に前記ドリッパ保持部の支柱部の先端をはめ込むとともに、前記ドリッパ保持部の連結部を首振りさせて前記リング状のホルダを水平に保持させるようにしたことを特徴とするドリッパ用スタンド。
【請求項２】
前記支柱部に首振り可能に設けたドリッパ保持部の連結部が、一方の方向に首振りさせた場合の逆Ｌ字状の角度と、反対方向に首振りさせた場合の逆Ｌ字状の角度とが異なるようにして、前記ドリッパ保持部のリング状のホルダの支持基板からの高さを調節することができるようにしたことを特徴とする請求項１に記載のドリッパ用スタンド。
【請求項３】
前記支柱部に首振り可能に設けたドリッパ保持部の連結部が、前記逆Ｌ字状の角度が直角に近い場合は、前記ドリッパ保持部の支柱部の先端を支持基板の中心側の孔へ挿し込み、前記逆Ｌ字状の角度が直角から遠い場合は、前記ドリッパ保持部の支柱部の先端を支持基板の周辺側の孔へ挿し込むことにより、前記ドリッパ保持部の支持基板上での安定を図るようにしたことを特徴とする請求項２に記載のドリッパ用スタンド。